(57)【要約】      （修正有）【課題】仮設足場の通路を狭くすることなく、かつ、仮設足場に取り付け容易な仮設足場用の補強材を提供する。【解決手段】横部３１には、仮設足場の横材１２に仮設足場内側から取り付けられる横方向取付部３２が設けられ、湾曲部５１には、仮設足場の縦材１３に仮設足場内側から取り付けられる縦方向取付部５２が設けられ、横方向取付部３２は、横部３１から上方にかつ横部３１の長手方向と交差する方向に突設され、第１フック開口部、第２フック開口部を相互に逆向きに設けられ仮設足場の横材１２に係止される、間隔を空けて並べて設置される第１フック３３と、第２フック３４とを有し、縦方向取付部５２は、湾曲部５１から横方向にかつ縦部４１もしくは湾曲部５１の長手方向と交差する方向に突設され仮設足場の縦材１３に係止される縦フック５３を有する、仮設足場用補強材２１とする。【選択図】図２
2016148182.tif 000002
【特許請求の範囲】
【請求項１】
仮設足場への取付時に、横方向に伸びる横部と、横部の下部に設けられ縦方向に伸びる縦部と、横部と縦部との間に設けられ湾曲した湾曲部とを有し、
横部には、仮設足場の横材に仮設足場内側から取り付けられる横方向取付部が設けられ、
縦部もしくは湾曲部には、仮設足場の縦材に仮設足場内側から取り付けられる縦方向取付部が設けられ、
横方向取付部は、横部から上方にかつ横部の長手方向と交差する方向に突設され、開口部を相互に逆向きに設けられ仮設足場の横材に係止され、間隔を空けて並べて設置される第１フックと、第２フックとを有し、
縦方向取付部は、縦部もしくは湾曲部から横方向にかつ縦部もしくは湾曲部の長手方向と交差する方向に突設され仮設足場の縦材に係止される縦フックを有する、
仮設足場用補強材。
【請求項２】
第１フックと、第２フックは、開口部を相互に向い合せて逆向きに設けられて、並べて設置される請求項１記載の仮設足場用補強材。
【請求項３】
縦フックは仮設足場の縦材と嵌合する開口部を設けられる請求項１又は請求項２記載の仮設足場用補強材。
【請求項４】
仮設足場への取付時に、横方向に伸びる横部と、横部の下部に設けられ縦方向に伸びる縦部と、横部と縦部との間に設けられ湾曲した湾曲部とを有し、
横部には、仮設足場の横材に仮設足場内側から取り付けられる横方向取付部が設けられ、
縦部もしくは湾曲部には、仮設足場の縦材に仮設足場内側から取り付けられる縦方向取付部が設けられ、
横方向取付部は、横部から上方にかつ横部の長手方向と交差する方向に突設され、開口部を相互に逆向きに設けられ仮設足場の横材に係止され、間隔を空けて並べて設置される第１フックと、第２フックとを有し、
縦方向取付部は、縦部もしくは湾曲部から横方向にかつ縦部もしくは湾曲部の長手方向と交差する方向に突設され仮設足場の縦材に係止される縦フックを有し、
第１フック、第２フックを仮設足場の横材にひねりながら係止し、次いで縦フックを仮設足場の縦材に係止することで、補強材は仮設足場に取り付けられる、
仮設足場用補強材。
【発明の詳細な説明】
【技術分野】
【０００１】
本発明は、仮設足場用補強材に係る。詳細には、工事現場等で使用される仮設足場用の補強材、更に詳細には、先行手すり型くさび緊結式足場あるいはくさび緊結式足場の補強材に係る。
【背景技術】
【０００２】
従来仮設用足場においては、くさび緊結式足場等の足場の縦材と横材とが連結する上部両角に補強材を取り付けて、仮設足場の補強を図っている。
例えば、特許文献１（特開平７−２６９０９７号公報「仮設足場枠の交叉状連結部材」）では、直線的な２本の方丈によって、仮設足場の上部両角を補強している。
特許文献２（特開平１１−１９３６２６号公報「開閉式布枠装置」）では、建枠６１の両方の角を、下方に開口したＣ字型で上部に取り付け端を設けた補強材を固定して補強している。
特許文献３（特開２０００−６４５９２号公報「仮設構造材及びこれを用いた仮設構造物基本体の構築方法」）では、建枠１の垂直方向の建枠半体１２の内側に平行に補強部材４が取り付けられる。
特許文献４（特開２００３−３５０３４号公報「仮設足場用爪先板」）でも特許文献３記載と同様の補強材が仮設足場に取り付けられる。
特許文献５（特開２００３−４１７６５号公報「仮設枠組足場」）では、特許文献１記載同様、直線的な２本の方丈によって、仮設足場の上部両角を補強している。
特許文献６（特開２０１３−１９４４６１号公報）にも、「足場構築体の強化装置」の記載がある。
【先行技術文献】
【特許文献】
【０００３】
【特許文献１】特開平７−２６９０９７号公報
【特許文献２】特開平１１−１９３６２６号公報
【特許文献３】特開２０００−６４５９２号公報
【特許文献４】特開２００３−３５０３４号公報
【特許文献５】特開２００３−４１７６５号公報
【特許文献６】特開２０１３−１９４４６１号公報
【発明の概要】
【発明が解決しようとする課題】
【０００４】
特許文献１、２、５、６記載の仮設足場用補強材では、直線的な２本の補強材によって、上部両角を補強しているため、通路を通過する作業員の頭部位置が狭くなる課題を有した。
特許文献３、４記載の仮設足場用補強材では、仮設足場の内側に平行に補強材が取り付けられるため、通路が全体として狭くなる課題を有した。
【０００５】
本発明の目的は、
仮設足場の通路を狭くすることなく、かつ、仮設足場に取り付け容易な仮設足場用補強材を提供することである。
【課題を解決するための手段】
【０００６】
本発明に係る仮設足場用補強材は、
仮設足場への取付時に、横方向に伸びる横部と、横部の下部に設けられ縦方向に伸びる縦部と、横部と縦部との間に設けられ湾曲した湾曲部とを有し、
横部には、仮設足場の横材に仮設足場内側から取り付けられる横方向取付部が設けられ、
縦部もしくは湾曲部には、仮設足場の縦材に仮設足場内側から取り付けられる縦方向取付部が設けられ、
横方向取付部は、横部から上方にかつ横部の長手方向と交差する方向に突設され、開口部を相互に逆向きに設けられ仮設足場の横材に係止され、間隔を空けて並べて設置される第１フックと、第２フックとを有し、
縦方向取付部は、縦部もしくは湾曲部から横方向にかつ縦部もしくは湾曲部の長手方向と交差する方向に突設され仮設足場の縦材に係止される縦フックを有する、
を備える。
【０００７】
あるいは、更に、
第１フックと、第２フックは、開口部を相互に向い合せて逆向きに設けられて、並べて設置される。
【０００８】
あるいは、更に、縦フックは仮設足場の縦材と嵌合する開口部を設けられる。
【０００９】
あるいは、
仮設足場への取付時に、横方向に伸びる横部と、横部の下部に設けられ縦方向に伸びる縦部と、横部と縦部との間に設けられ湾曲した湾曲部とを有し、
横部には、仮設足場の横材に仮設足場内側から取り付けられる横方向取付部が設けられ、
縦部もしくは湾曲部には、仮設足場の縦材に仮設足場内側から取り付けられる縦方向取付部が設けられ、
横方向取付部は、横部から上方にかつ横部の長手方向と交差する方向に突設され、開口部を相互に逆向きに設けられ仮設足場の横材に係止され、間隔を空けて並べて設置される第１フックと、第２フックとを有し、
縦方向取付部は、縦部もしくは湾曲部から横方向にかつ縦部もしくは湾曲部の長手方向と交差する方向に突設され仮設足場の縦材に係止される縦フックを有し、
第１フック、第２フックを仮設足場の横材にひねりながら係止し、次いで縦フックを仮設足場の縦材に係止することで、補強材は仮設足場に取り付けられる、
を備える。
【発明の効果】
【００１０】
本発明によれば、横方向に伸びる横部と、横部の下部に設けられ縦方向に伸びる縦部と、横部と縦部との間に設けられ湾曲した湾曲部とを有するので、補強材が取り付けられた仮設足場の通路が作業員の頭部付近を含め狭くなることが最小限とされる。
更に、仮設足場に取り付け容易な仮設足場用補強材を提供する。
【図面の簡単な説明】
【００１１】
【図１】この発明の実施の形態に係る実施例の仮設足場用補強材の使用状態の正面図である。
【図２】この発明の実施の形態に係る実施例の仮設足場用補強材の正面図である。
【図３】この発明の実施の形態に係る実施例の仮設足場用補強材の左側面図である。
【図４】この発明の実施の形態に係る実施例の仮設足場用補強材の平面図である。
【図５】この発明の実施の形態に係る実施例の仮設足場用補強材の底面図である。
【図６】この発明の実施の形態に係る実施例の仮設足場用補強材の一部拡大正面図である。
【図７】この発明の実施の形態に係る実施例の仮設足場用補強材の一部拡大左側面図である。
【図８】この発明の実施の形態に係る実施例の仮設足場用補強材の一部拡大平面図である。
【図９】この発明の実施の形態に係る実施例の仮設足場用補強材の一部拡大底面図である。
【図１０】この発明の実施の形態に係る実施例の仮設足場用補強材の仮設足場への取付状態の斜視図である。
【図１１】この発明の実施の形態に係る実施例の仮設足場用補強材の仮設足場への取付状態の斜視図である。
【図１２】この発明の実施の形態に係る実施例の仮設足場用補強材の仮設足場への取付状態の斜視図である。
【図１３】この発明の実施の形態に係る実施例の仮設足場用補強材の仮設足場への取付状態の一部拡大斜視図である。
【図１４】この発明の実施の形態に係る実施例の仮設足場用補強材の仮設足場への取付状態の斜視図である。
【発明を実施するための形態】
【００１２】
１１は、仮設足場である。仮設足場１１は、この実施の形態では、先行手すり型くさび緊結式足場あるいはくさび緊結式足場からなる。仮設足場１１には、仮設足場１１の仮設足場組み立て時には、横方向に設けられる横材１２と、横材１２端部に固定され縦方向に設けられる縦材１３とが設けられる。この実施の形態では、仮設足場１１は、横材１２と縦材１３は、くさび１５で締め付けて固定されるくさび緊結式である。横材１２と縦材１３との間で囲まれた空間で通路１４を形成する。
【００１３】
２１は、仮設足場用補強材である。補強材２１は金属製パイプからなり、全体として途中で湾曲して９０度向きを変える。
【００１４】
３１は、補強材２１の横部である。横部３１は、仮設足場１１への取付時には、上部で横方向に伸びる。横部３１には、仮設足場１１の横材１２に仮設足場１１内側から取り付けられる横方向取付部３２が設けられる。
横方向取付部３２は、横部３１から上方にかつ横部３１の長手方向と交差する方向に突設される。この実施の形態では、横方向取付部３２は、仮設足場１１への補強材２１の取付時には、垂直方向に立ち上げられる。
【００１５】
横方向取付部３２は、先端側に設けられた第１フック３３と、第１フック３３より内側に設けられた第２フック３４とからなる。第１フック３３と、第２フック３４は横部３１に、間隔を空けて平行に並べて、仮設足場１１への取付時には垂直に向くように、垂直に立ち上げて固定される。
第１フック３３および、第２フック３４には、仮設足場１１への補強材２１の取付時には、水平方向に向くように、第１フックの第１フック開口部３５、第２フックの第２フック開口部３６がそれぞれ設けられる。
【００１６】
第１フック３３の第１フック開口部３５と、第２フック３４の第２フック開口部３６は、第１フック開口部３５、第２フック開口部３６の開口部を相互に逆向きとして向い合せて、間隔を空けて並べて設置される。
第１フック３３、第２フック３４ともに図４に図示されるように、先端は、横部３１のパイプから突設されており、仮設足場１１の横材１２に係止し易くなっている。
【００１７】
４１は、補強材２１の縦部である。縦部４１は、仮設足場１１への補強材２１の取付時には、横部３１の下部に設けられ縦方向に伸びる。
５１は、湾曲部である。湾曲部５１は外側へすなわち仮設足場１１側へ湾曲して、横部３１と縦部４１との間に設けられる。
【００１８】
縦部４１もしくは湾曲部５１には、仮設足場１１への補強材２１の取付時に、仮設足場１１の縦材１３に仮設足場１１内側から取り付けられる縦方向取付部５２が設けられる。
この実施の形態では、縦方向取付部５２は、図２以下に図示されるように、湾曲部５１の略真ん中に設けられる。
縦方向取付部５２は、縦部４１もしくは湾曲部５１から、仮設足場１１への補強材２１の取付時に、水平方向すなわち横方向にかつ縦部４１もしくは湾曲部５１の長手方向と交差する方向に突設され仮設足場１１の縦材１３に係止される縦フック５３を有する。縦フック５３は、横部３１と平行に設けられる。
【００１９】
縦フック５３には、開口部５４が設けられる。開口部５４は、仮設足場１１への補強材２１の取付時には、水平方向に且つ、図１０に図示されるように、第１フック３３の開口側と同じ側に開口し、仮設足場１１の縦材１３と嵌合する。
５５は補強部である。補強部５５は、略三角形状からなり縦フック５３の下部と湾曲部５１との間に設置され、縦フック５３を仮設足場１１への設置時における下側から補強する。
【００２０】
６１は、第２縦方向取付部である。第２縦方向取付部６１は、縦方向取付部５２よりも下部の縦部４１下端付近に設けられる。第２縦方向取付部６１は、仮設足場１１への補強材２１の取付時には、仮設足場１１の縦材１３に当接され、位置決めをする。
第２縦方向取付部６１は、縦部４１下端から、仮設足場１１への補強材２１の取付時には、外側に水平に突設する平行な２枚のスペーサ６２、６３からなる。
スペーサ６２、６３の先端は、図８、図９に図示されるように、中央に凹み６４を有し、縦材１３が嵌合したとき嵌合しやすくしてある。スペーサ６２と、スペーサ６３との間には支持片６５が縦部４１に沿って縦部４１に取り付けられる。支持片６５の間には凹部６６が設けられており、位置出して、仮設足場１１側の縦材１３に取り付けられている板状体を嵌合させて仮設足場１１と縦部４１とを取付ける。
【００２１】
次に、仮設足場用補強材（補強材）２１の仮設足場１１への取付方法について説明する。
第１フック３３、第２フック３４は、仮設足場１１の横材１２にひねりながら係止する。すなわち、まず、図１０に図示されるように、補強材２１の横部３１が仮設足場１１の横材１２の下側に位置するように補強材２１を移動する。
次いで、図１１に図示されるように、補強材２１を持ち上げ、第１フック３３の第１フック開口部３５と、第２フック３４の第２フック開口部３６が、仮設足場１１の横材１２と一致する位置まで持ち上げる。すなわち、第１フック３３と第２フック３４との間に、仮設足場１１の横材１２が入るように、補強材２１の横部３１を仮設足場１１の横材１２下側から差し込めるように位置決めする。
このときはまだ縦フック５３は、縦材１３に嵌合していない。
【００２２】
次いで、図１２に図示されるように、補強材２１の長手方向を、仮設足場１１の横材１２の長手方向に対してひねり、向かい合って逆方向に開口する第１フック開口部３５、第２フック開口部３６を、逆方向から、仮設足場１１の横材１２に嵌合させる。すると、図１３、図１４に図示されるように、第１フック３３及び第２フック３４の、第１フック開口部３５、第２フック開口部３６が、仮設足場１１の横材１２に横材１２のそれぞれ逆側から嵌合する。
【００２３】
縦フック５３の開口部５４は、仮設足場１１への補強材２１の取付時には、横部３１と平行に水平方向に且つ、第１フックの開口側と同じ側に開口している。そのため、第１フック３３及び第２フック３４の、第１フック開口部３５、第２フック開口部３６を、仮設足場１１の横材１２に係止作業を行うため、補強材２１の長手方向をねじることで、図１１に図示された状態から、図１４に図示されるように、開口部５４は、同時に、縦材１３に嵌合し係止される。
【００２４】
第１フック３３及び第２フック３４の、第１フック開口部３５、第２フック開口部３６が、仮設足場１１の横材１２に横材１２の逆側から嵌合し、仮設足場１１の横材１２に横方向取付部３２が取り付けられ、縦フック５３の開口部５４が縦材１３に嵌合することで、仮設足場１１の縦材１３に縦方向取付部５２が取り付けられる。
そのため、補強材２１の長手方向をねじると、補強材２１の下部に位置するスペーサ６２、６３の先端中央の凹み６４で縦材１３を嵌合され、くさび６７で締め付けて固定され、補強材２１は仮設足場１１に取り付けられる。
【符号の説明】
【００２５】
１１  仮設足場
１２  横材
１３  縦材
２１  仮設足場用補強材（補強材）
３１  横部
３２  横方向取付部
３３  第１フック
３４  第２フック
３５  第１フック開口部
３６  第２フック開口部
４１  縦部
５１  湾曲部
５２  縦方向取付部
５３  縦フック
【図１】
2016148182.tif 000003
【図２】
2016148182.tif 000004
【図３】
2016148182.tif 000005
【図４】
2016148182.tif 000006
【図５】
2016148182.tif 000007
【図６】
2016148182.tif 000008
【図７】
2016148182.tif 000009
【図８】
2016148182.tif 000010
【図９】
2016148182.tif 000011
【図１０】
2016148182.tif 000012
【図１１】
2016148182.tif 000013
【図１２】
2016148182.tif 000014
【図１３】
2016148182.tif 000015
【図１４】
2016148182.tif 000016